(57)【要約】【課題】電気掃除機用床ノズルにおいて、ブラシに付着した菌の繁殖を防止し、またブラシが床面と接触して摩耗した場合にも、その効果を持続させること。【解決手段】ノズルケース２と、外周部に溝を有する回転ホルダー６と、前記回転ホルダー６を回転させるブラシモータ８とを備え、前記回転ホルダー６の溝２１に突出代の異なる２列のブラシ群２２、２３を挿入し、突出代の小さいブラシ群２２に揮発性の抗菌剤を付着させる電気掃除機用床ノズルとした。これにより抗菌効果のある揮発性成分がブラシ周辺に揮発し、菌の繁殖を防ぐことができるようになる。【選択図】図１
2005168796.tif 000002
【特許請求の範囲】
【請求項１】
ノズルケースと、外周部に溝を有する回転ホルダーと、前記回転ホルダーを回転させるブラシモータとを備え、前記回転ホルダーの溝に突出代の異なる２列のブラシ群を挿入し、突出代の小さいブラシ群は揮発性の抗菌剤を有する構成とした電気掃除機用床ノズル。
【請求項２】
突出代の小さいブラシ群を、突出代の大きいブラシ群の回転の後段側に接するように配した請求項１に記載の電気掃除機用床ノズル。
【請求項３】
突出代の小さいブラシ群を突出代の大きいブラシ群よりも帯電列を負帯電側材質とする請求項１または２に記載の電気掃除機用床ノズル。
【請求項４】
突出代の大きいブラシ群の材質をポリアミドとした請求項３に記載の電気掃除機用床ノズル。
【請求項５】
突出代の小さいブラシ群の材質を、ポリプロピレン、ポリエチレン、アクリル樹脂、塩化ビニル、テフロン（Ｒ）、ポリエステルの少なくともいずれか１つとした請求項３または４に記載の電気掃除機用床ノズル。
【請求項６】
突出代の小さいブラシ群を、表面および内部に細孔を有する繊維から構成した請求項５に記載の電気掃除機用床ノズル。
【発明の詳細な説明】
【技術分野】
【０００１】
本発明は電気掃除機用床ノズルに関するものである。
【背景技術】
【０００２】
従来、この種の電気掃除機において、回転ブラシのブラシ体を突出代の異なるブラシ群で構成し、ごみのかきあげ力を改良し、集塵性能の向上を図るものがある（例えば、特許文献１参照）。
【０００３】
図４は、特許文献１に記載された従来の電気掃除機の床ノズル部分のアジテーターを示すものである。図４に示すように、アジテーター１９は、回転自在な回転子２０に設けられた複数個の溝部２１に、突状体２２およびブラシ体２３を嵌着して形成されており、ブラシ体２３は、床面２５と当接する長さに設定した突出代の大きいブラシ群２４と、絨毯面２７に当接する長さに設定した突出代の小さいブラシ群２６からなり、突出代の小さいブラシ群２６が、突出代の大きいブラシ群２４を曲がり難くすることで、ごみのかきあげ効果が向上する。
【特許文献１】特開２０００−６０７７５号公報
【発明の開示】
【発明が解決しようとする課題】
【０００４】
しかしながら、前記従来の構成では、突出代の大きいブラシ群２４と突出代の小さいブラシ群２６の間に菌が付着、残存しやすいという課題を有していた。一方、ブラシ群に抗菌剤を設ける方法が想定されるが、ブラシが床面との接触で摩耗し、抗菌剤が脱離するために、抗菌効果を持続させるのは困難であった。
【０００５】
本発明は、前記従来の課題を解決するもので、ブラシ群の抗菌効果が持続する電気掃除機用床ノズルを提供することを目的とする。
【課題を解決するための手段】
【０００６】
前記従来の課題を解決するために、本発明の電気掃除機用床ノズルは、突出代の小さいブラシ群に揮発性の抗菌剤を付着させたものである。これによって、抗菌効果のある揮発性成分がブラシ周辺に揮発する。
【発明の効果】
【０００７】
本発明の電気掃除機用床ノズルは、ブラシに付着した菌の繁殖を防ぐことができ、ブラシが床面と接触し、摩耗した場合にもその効果を持続させることができる。
【発明を実施するための最良の形態】
【０００８】
第１の発明は、ノズルケースと、外周部に溝を有する回転ホルダーと、前記回転ホルダーを回転させるブラシモータとを備え、前記回転ホルダーの溝に突出代の異なる２列のブラシ群を挿入し、突出代の小さいブラシ群が揮発性の抗菌剤を有する構成の電気掃除機用床ノズルとしたものであり、抗菌効果のある揮発性成分が、ブラシ周辺に揮発するため、揮発性の抗菌剤を有する突出代の小さいブラシ群だけではなく、突出代の大きいブラシ群に付着した菌の繁殖を防ぐことができる。
【０００９】
また、突出代の小さいブラシは、被清掃面が絨毯等の毛足の長い表面の場合は接触するものの、床面のような硬い被清掃面とは直接接触することがないため、摩耗することが無く、揮発性の抗菌剤が摩耗によって失われることなく、抗菌効果が持続できる。
【００１０】
第２の発明は、第１の発明の突出代の小さいブラシ群を、突出代の大きいブラシ群の回転の後段側に接するように配したものであり、床面のような硬い被清掃面と接触した際、突出代の大きいブラシ群が腰折れし、湾曲するのを、突出代の小さいブラシ群が後ろから支えることで、防ぐことができる。
【００１１】
第３の発明は、第１または第２の発明の突出代の小さいブラシ群を、突出代の大きいブラシ群よりも帯電列を負帯電側材質で構成したものであり、回転によりブラシ群が摩擦すると、帯電列が負帯電側の突出代の小さいブラシ群はマイナスに、突出代の大きいブラシ群はプラスに帯電する。
【００１２】
被清掃面に付着する菌は、一般にプラスに帯電しているため、プラスに帯電した突出代の大きいブラシ群とは静電気的に反発するため付着せず、マイナスに帯電した突出代の小さいブラシ群には引き寄せられて付着する。そのため揮発性の抗菌剤が効率良く作用することができる。
【００１３】
第４の発明は、第３の発明の突出代の大きいブラシ群の材質を、ポリアミドで構成したものであり、被評価面として想定される木材、塩化ビニル、ポリプロピレン等よりも耐電列が正帯電側であり、摩擦した際にプラスに帯電する。被清掃面に付着する菌は一般にプラスに帯電しているため、突出代の大きいブラシ群とは静電気的に反発し、付着しない。また、ポリアミドは耐摩耗性に優れるため、被評価面や、帯電プレートとの摩擦に耐えることができる。
【００１４】
第５の発明は、第３または第４の発明の突出代の小さいブラシ群の材質が、ポリプロピレン、ポリエチレン、アクリル樹脂、塩化ビニル、テフロン（Ｒ）、ポリエステルのいずれか１つで構成するものであり、これらの材質はポリアミドよりも耐電列が負帯電側であり、回転により摩擦した際にマイナスに帯電し、プラスに帯電した菌を引き寄せ易い。突出代の小さいブラシ群に付着した菌は、揮発性の抗菌剤の効果により、繁殖を抑制される。
【００１５】
第６の発明は、第５の発明の突出代の小さいブラシ群を、表面および内部に細孔を有する繊維から構成するものであり、これらの細孔に、揮発性の抗菌剤を担持させることができ、抗菌効果をより長く持続させることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気掃除機用床ノズルの断面図を示すものである。また、図２は図１のブラシ部分の拡大図を示すものである。
【００１８】
図１において、掃除機用床ノズル本体１は、ノズルケース２と、その前方内部に下方に開口した開口部３を有する吸い込み室４が、後方内部にはモータ室５が構成され、前記モータ室５は隔壁１２によって吸い込み室４と区画されている。
【００１９】
モータ室５の後方内面には回転自在に摺動する吸い込み継ぎ手１０があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００２０】
ノズルケース２の下方部には、開口部３の後方に平行に取り付けられた固定ブラシ１３と、車輪１４、１５が設けられている。
【００２１】
吸い込み室４内にはこれと平行に設けられた回転ホルダー６があり、ベルト７を介してモータ室５内のブラシモータ８の回転により回転する。
【００２２】
回転ホルダー６には、図２に示すように、ブラシ固定用の溝２１があり、これに突出代の小さいブラシ群であるポリエチレン製のブラシ２２と、突出代の大きいブラシ群である６ナイロン製のブラシ２３が固定されている。
【００２３】
ポリエチレン製のブラシ２２は、ポーラスな繊維であり、繊維表面および内部に細孔を有しており、揮発性の抗菌剤であるアリルイソチオシアネート２４が繊維表面および細孔に付着している。
【００２４】
以上のように構成された電気掃除機用床ノズルについて、以下その動作、作用を説明する。
【００２５】
まず、図示されていないスイッチを押して掃除機を作動させると、ブラシモータ８に通電が開始される。
【００２６】
ブラシモータ８の回転は、ベルト７を介して回転ホルダー６に伝わり、回転ホルダー６を回転させる。回転ホルダー６が回転すると、ポリエチレン製のブラシ２２が、６ナイロン製のブラシ２３と摩擦し、帯電率が負帯電側のポリエチレン製のブラシ２２がマイナスに、帯電率が正帯電側の６ナイロン製のブラシ２３がプラスに帯電する。
【００２７】
回転ホルダー６は図１の矢印で示した方向で回転するため、ポリエチレン製のブラシ２２は、開口部３よりも回転の後段側に位置することとなり、６ナイロン製のブラシ２３が、床面のような硬い被清掃面と接触した際、腰折れして湾曲するのを、ポリエチレン製のブラシ２２が後ろから支えることで、防いでいる。
【００２８】
被清掃面のゴミは、回転ホルダー６の回転と、吸引力により、開口部３よりノズルケースの吸い込み室に入る。この際、被清掃面に付着していた菌も、ゴミととも吸引されるが、この菌は一般にプラスに帯電しているため、マイナスに帯電したポリエチレン製のブラシ２２に付着する。付着した菌は、アリルイソチオシアネート２４により繁殖を抑制される。
【００２９】
一方、同じくプラスに帯電している６ナイロン製のブラシ２３とは静電気的に反発し、表面に付着し難いが、万一付着した場合にもブラシ周辺に揮発したアリルイソチオシアネート２４が作用するため、繁殖を抑制することができる。
【００３０】
ポリエチレン製のブラシ２２は、被清掃面が絨毯等の毛足の長い表面の場合は接触するものの、床面のような硬い被清掃面とは直接接触することがないため、摩耗することが無く、アリルイソチオシアネート２４が摩耗によって失われることなく、抗菌効果が持続する。万一、表面が摩耗され、表面のアリルイソチオシアネートが失われた場合にも、細孔内にも担持されているために、抗菌効果が持続する。
【００３１】
尚、本実施の形態では、突出代の小さいブラシ群２２をポリエチレン製のブラシとしたが、ポリプロピレン、アクリル樹脂、塩化ビニル、テフロン（Ｒ）、ポリエステルでも同様の効果を示すものである。
【００３２】
また、突出代の大きいブラシ群２３を６ナイロン製のブラシとしたが、６６ナイロンでも同様の効果を示すものである。
【００３３】
また、揮発性の抗菌剤２４をアリルイソチオシアネートとしたが、その他の、チオシアナト化合物や、アルデヒド類、フェノール類、ベンズイミダゾール誘導体、ピリジンオキシド、カルバニリド、ジフェニルエーテル等の合成系の抗菌剤や、リモネン、シトラール、アネトール、サフロール、シトロネラール、シトロネロール、α−ピネン、ペリラアルデヒド、ペリラアルコール等の天然系の抗菌剤でも同様の効果を示すものである。
【００３４】
（実施の形態２）
図３は、本発明の第２の実施の形態の電気掃除機用床ノズルの断面図を示すものである。図３において、掃除機用床ノズル本体１は、ノズルケース２と、その内部に下方に開口した開口部３がある。ノズルケース２の後方内面には図示されていない回転自在に摺動する吸い込み継ぎ手があり、この周壁の一部から突設した円筒状の接続口１１を介して図示されていない床ノズルパイプが取り付けられ、さらにこの床ノズルパイプには電気掃除機の吸気側にホースを介して連通した延長管が着脱自在に接続される。
【００３５】
ノズルケース２の下方部には、開口部３の後方に平行に取り付けられた固定ブラシ１３と、車輪１４、１５が設けられている。
【００３６】
ノズルケース２内には回転ホルダー６があり、回転ホルダー６の筒の内部に収納されたブラシモータ８の回転により回転する。
【００３７】
回転ホルダー６には、図示されていないが、ブラシ固定用の溝があり、これに突出代の小さいブラシ群であるポリエチレン製のブラシ２２と、突出代の大きいブラシ群である６ナイロン製のブラシ２３が固定されている。ポリエチレン製のブラシ２２には、図示されていないが揮発性の抗菌剤であるアリルイソチオシアネートが処理されている。
【００３８】
以上のように構成された電気掃除機用床ノズルについて、以下その動作、作用を説明する。
【００３９】
まず、図示されていないスイッチを押して掃除機を作動させると、ブラシモータ８に通電される。
【００４０】
ブラシモータ８により、回転ホルダー６が回転する。回転ホルダー６が回転すると、ポリエチレン製のブラシ２２が、６ナイロン製のブラシ２３と摩擦し、帯電率が負帯電側のポリエチレン製のブラシ２２がマイナスに、帯電率が正帯電側の６ナイロン製のブラシ２３がプラスに帯電する。
【００４１】
回転ホルダー６は図１の矢印で示した方向で回転するため、ポリエチレン製のブラシ２２は、開口部３よりも回転の後段側に位置することとなり、６ナイロン製のブラシ２３が、床面のような硬い被清掃面と接触した際、腰折れして湾曲するのを、ポリエチレン製のブラシ２２が後ろから支えることで、防いでいる。
【００４２】
被清掃面のゴミは、回転ホルダー６の回転と、吸引力により、開口部３よりノズルケース内部に入る。この際、被清掃面に付着していた菌も、ゴミととも吸引されるが、この菌は一般にプラスに帯電しているため、マイナスに帯電したポリエチレン製のブラシ２２に付着する。付着した菌は、アリルイソチオシアネート２４により繁殖を抑制される。
【００４３】
一方、同じくプラスに帯電している６ナイロン製のブラシ２３とは静電気的に反発し、表面に付着し難いが、万一付着した場合にもアリルイソチオシアネート２４が揮発して菌に作用するため、繁殖を抑制することができる。
【産業上の利用可能性】
【００４４】
以上のように、本発明にかかる電気掃除機用床ノズルは、ブラシについた菌の繁殖を防ぐことができ、かつ、ブラシが摩耗した場合にもその効果を持続させることが可能となるので、床面の清掃と卓上の清掃の両用途を可能とする電気掃除機用に適用できる。
【図面の簡単な説明】
【００４５】
【図１】本発明の実施の形態１における電気掃除機用床ノズルの断面図
【図２】図１に示した電気掃除機用床ノズルのブラシ部分の拡大図
【図３】本発明の実施の形態２における電気掃除機用床ノズルの断面図
【図４】従来の従来の電気掃除機の床ノズル部分のアジテーターを示す断面図
【符号の説明】
【００４６】
１  掃除機用床ノズル本体
２  ノズルケース
３  開口部
６  回転ホルダー
８  ブラシモータ
２１  ブラシ固定用の溝
２２  ポリエチレン製のブラシ（突出代の小さいブラシ群）
２３  ６ナイロン製のブラシ（突出代の大きいブラシ群）
２４  アリルイソチオシアネート（揮発性の抗菌剤）
【図１】
2005168796.tif 000003
【図２】
2005168796.tif 000004
【図３】
2005168796.tif 000005
【図４】
2005168796.tif 000006